(57)【特許請求の範囲】
【請求項１】
上縁部、下縁部、左縁部、右縁部からなる上側部分と、上縁部、下縁部、左縁部、右縁部からなり、前記上側部分と略同形状の下側部分と、前記上側部分の下縁部と前記下側部分の上縁部とを接続する接続部分を有し、前記上側部分と前記下側部分が対向し、前記接続部分が前記上側部分の下縁部及び前記下側部分の上縁部より外方に突出しないように、前記上側部分の下縁部及び前記下側部分の上縁部が折曲していると共に、前記上側部分の下縁部及び前記下側部分の上縁部より内方に位置して折り返される折り返し部が前記接続部分に設けられており、前記上側部分の上縁部と前記下側部分の下縁部、前記上側部分の下縁部と前記下側部分の上縁部はそれぞれ接合されず、前記上側部分の左縁部と前記下側部分の左縁部、前記上側部分の右縁部と前記下側部分の右縁部は、それぞれ接合され、前記接続部分の前記右縁部が前記上側部分及び前記下側部分の前記右縁部と共に、前記接続部分の前記左縁部が前記上側部分及び前記下側部分の前記左縁部と共に、それぞれ接合され、前記上側部分の上縁部と前記上側部分の下縁部は略平行で、前記下側部分の上縁部と前記下側部分の下縁部は略平行であり、
前記上側部分の前記上縁部と前記上側部分の前記下縁部は略平行で、前記上側部分の前記左縁部と前記上側部分の前記右縁部は前記上側部分の前記下縁部に向かって先細りとなるように傾斜する略台形形状であり、
前記下側部分の前記上縁部と前記下側部分の前記下縁部は略平行で、前記下側部分の前記左縁部と前記下側部分の前記右縁部は前記下側部分の前記上縁部に向かって先細りとなるように傾斜する略台形形状であり、
前記折り返し部は、前記上側部分の前記下縁部及び前記下側部分の前記上縁部に略平行であることを特徴とするマスク。
【発明の詳細な説明】
【０００１】
本発明は、マスクに係り、特に、使用勝手が良好なマスクに関する。
【０００２】
【従来の技術】
不使用時、マスクの上側部分と下側部分とを重ねてシ−ト状とし、使用時、マスクの上側部分と下側部分との接合部と反対の非接合部を離間させている（例えば、実開昭６３−８４２５３号公報参照）。
【０００３】
【発明が解決しようとする課題】
上述したマスクにあっては、使用時、マスクの先端が突出する形状となっており、突出する形状が邪魔となって、視野が狭く、特に、マスクを装着しての手作業がしにくいという問題点が生じた。
本発明は、上述した問題点を除去するようにしたマスクを提供するものである。
【０００４】
【課題を解決するための手段】
上記目的を達成するために、請求項１記載のマスクは、上縁部、下縁部、左縁部、右縁部からなる上側部分と、上縁部、下縁部、左縁部、右縁部からなり、前記上側部分と略同形状の下側部分と、前記上側部分の下縁部と前記下側部分の上縁部とを接続する接続部分を有し、前記上側部分と前記下側部分が対向し、前記接続部分が前記上側部分の下縁部及び前記下側部分の上縁部より外方に突出しないように、前記上側部分の下縁部及び前記下側部分の上縁部が折曲していると共に、前記上側部分の下縁部及び前記下側部分の上縁部より内方に位置して折り返される折り返し部が前記接続部分に設けられており、前記上側部分の上縁部と前記下側部分の下縁部、前記上側部分の下縁部と前記下側部分の上縁部はそれぞれ接合されず、前記上側部分の左縁部と前記下側部分の左縁部、前記上側部分の右縁部と前記下側部分の右縁部は、それぞれ接合され、前記接続部分の前記右縁部が前記上側部分及び前記下側部分の前記右縁部と共に、前記接続部分の前記左縁部が前記上側部分及び前記下側部分の前記左縁部と共に、それぞれ接合され、前記上側部分の上縁部と前記上側部分の下縁部は略平行で、前記下側部分の上縁部と前記下側部分の下縁部は略平行であり、前記上側部分の前記上縁部と前記上側部分の前記下縁部は略平行で、前記上側部分の前記左縁部と前記上側部分の前記右縁部は前記上側部分の前記下縁部に向かって先細りとなるように傾斜する略台形形状であり、前記下側部分の前記上縁部と前記下側部分の前記下縁部は略平行で、前記下側部分の前記左縁部と前記下側部分の前記右縁部は前記下側部分の前記上縁部に向かって先細りとなるように傾斜する略台形形状であり、前記折り返し部は、前記上側部分の前記下縁部及び前記下側部分の前記上縁部に略平行である。
【０００６】
【実施例】
本発明の一実施例のマスクを図面を参照して説明する。
図１乃至図７において、１はマスクで、マスク１は、概略的に、上側部分ａと、この上側部分ａと略同形状の下側部分ｂと、前述した上側部分ａと下側部分ｂとを接続する接続部分ｃとから構成されている（図１、図３及び図７参照）。
【０００７】
上側部分ａは、図７に示すように、例えば、上縁部ａ１、下縁部ａ２、左縁部ａ３、右縁部ａ４からなり、上側部分ａの上縁部ａ１と上側部分ａの下縁部ａ２は略平行（より望ましくは、平行）で、上側部分ａの左縁部ａ３と上側部分ａの右縁部ａ４は上側部分ａの下縁部ａ２に向かって先細りとなるように傾斜する略台形形状となっている。６は、マスク１の上側部分ａに内在され、鼻の形状に容易に馴染むに変形自在な部材で形成されたノ−ズクランプである。
【０００８】
また、下側部分ｂは、上側部分ａと略同形状で、例えば、上縁部ｂ１、下縁部ｂ２、左縁部ｂ３、右縁部ｂ４からなり、下側部分ｂの上縁部ｂ１と下側部分ｂの下縁部ｂ２は略平行（より望ましくは、平行）で、下側部分ｂの左縁部ｂ３と下側部分ｂの右縁部ｂ４は下側部分ｂの上縁部ｂ１に向かって先細りとなるように傾斜する略台形形状となっている。
なお、図２に示すように、下側部分ｂの下縁部ｂ２が上側部分ａの上縁部ａ１より外側に突出している。これは、マスク１を装着した場合、図１に示すように、下側部分ｂの下縁部ｂ２が上側部分ａの上縁部ａ１より外側に突出している分、下側部分ｂをあごに深く係止させることができ、口を開いても下側部分ｂがあごに係止し、下側部分ｂがあごから離脱するのを防ぐことができるようにするためである。
【０００９】
また、接続部分Ｃは、図３に示すように、上側部分ａの下縁部ａ２と下側部分ｂの上縁部ｂ１とを接続するものである。そして、上側部分ａと下側部分ｂが対向し、接続部分ｃが上側部分ａの下縁部ａ２及び下側部分ｂの上縁部ｂ１より外方に突出しないように、上側部分ａの下縁部ａ２及び下側部分ｂの上縁部ｂ１が折曲していると共に、上側部分ａの下縁部ａ２及び下側部分ｂの上縁部ｂ１より内方に位置して折り返される折り返し部（折り目）Ｃ０が接続部分Ｃに設けられている。この折り返し部（折り目）Ｃ０は、上側部分ａの下縁部ａ２及び下側部分ｂの上縁部ｂ１に略平行となっている。なお、上側部分ａの上縁部ａ１と下側部分ｂの下縁部ｂ２、上側部分ａの下縁部ａ２と下側部分ｂの上縁部ｂ１はそれぞれ接合されていないが、上側部分ａの左縁部ａ３と下側部分ｂの左縁部ｂ３、上側部分ａの右縁部ａ４と下側部分ｂの右縁部ｂ４は、それぞれ接合（例えば、超音波溶着により接合）されている。なお、図２において、×印は接合箇所を示している。その際、接続部分ｃの右縁部が上側部分ａ及び下側部分ｂの右縁部ａ４、ｂ４と共に、接続部分ｃの左縁部が上側部分ａ及び下側部分ｂの左縁部ａ３、ｂ３と共に、それぞれ接合される。
【００１０】
なお、マスク１は、例えば、図４に示すように、通気性素材で形成された表側カバー11、第１のフィルタ−12、第２のフィルタ−13、裏側カバー14の４層から構成され、20は伸縮自在な第１の紐、30は伸縮自在な第２の紐である。そして、第１の紐20、第２の紐30を図１に示すように、着用者の頭部にかけるようにしてマスク１を所望の位置に固定するようになっている。
第１の紐20の一端は上側部分ａの左縁部ａ３と下側部分ｂの左縁部ｂ３との間に、第１の紐20の他端は上側部分ａの右縁部ａ４と下側部分ｂの右縁部ｂ４との間に、例えば、超音波溶着により接合されている（図２、図５及び図６参照）。
ここに「接合」とは、第１の紐20の一端が上側部分ａの左縁部ａ３と下側部分ｂの左縁部ｂ３との間に、第１の紐20の他端が上側部分ａの右縁部ａ４と下側部分ｂの右縁部ｂ４との間に、直接接合されている場合の他、図５及び図６に示すように、後述する補強部材40を介在させて接合する場合をも含むことをいう。
また、上述したように、マスク１の下側部分ｂの下縁部ｂ２が上側部分ａの上縁部ａ１より外側に突出しており、該突出した部分の長手方向に沿って長手形状の補強部材40が設けられている。第２の紐30の一端はマスク１の下側部分ｂの前記突出した部分の左端部と補強部材40との間に、第２の紐30の他端はマスク１の下側部分ｂの前記突出した部分の右端部と補強部材40との間に、例えば、超音波溶着により接合されている（図２、図５及び図６参照）。
その結果、第２の紐30の一端はマスク１の下側部分ｂの突出した部分の左端部と補強部材40との間に、第２の紐30の他端はマスク１の下側部分ｂの突出した部分の右端部と補強部材40との間に、それぞれ接続されるため、補強部材40を有する分、第２の紐30の接続部分の強度を向上させることができる。
【００１１】
従って、上述したマスク１は、使用しない場合は、図３に示すように、折り返し部（折り目）Ｃ０が折り返された状態にあり、使用時は、図１に示すように、折り返し部（折り目）Ｃ０を有する接続部分Ｃを広げることができるため、吸排気面積の拡大を図ることができ、息苦しくなく、しかも、上側部分ａの左縁部ａ３と下側部分ｂの左縁部ｂ３、上側部分ａの右縁部ａ４と下側部分ｂの右縁部ｂ４の接合部分を上側部分ａの上縁部ａ１及び下側部分ｂの下縁部ｂ２より、それ程突出しなくて良く、突出しない分、マスク１を装着した場合の視野の確保を図ることができ使用勝手を向上させることができる。
【００１２】
なお、上述の実施例（図２及び図３参照）においては、下側部分ｂの下縁部ｂ２が上側部分ａの上縁部ａ１より外側に突出しているが、本発明にあってはこれに限らず、例えば、図８乃至図１０に示すように、下側部分ｂの下縁部ｂ２が上側部分ａの上縁部ａ１より外側に突出しないように、下側部分ｂの下縁部ｂ２と上側部分ａの上縁部ａ１を一致させるようにしても良い。
【００１３】
また、上述の実施例（図７及び図１０参照）においては、上側部分ａ及び下側部分ｂを略台形形状としているが、本発明にあってはこれに限らず、例えば、図１１及び図１２に示すように、上側部分ａを、例えば、上縁部ａ１、下縁部ａ２、左縁部ａ３、右縁部ａ４からなる略矩形形状、下側部分（図示せず）を上側部分ａと略同形状の略矩形形状となるようにしても良い。
その際、図１２に示すように、上側部分ａの下方と下側部分（図示せず）の上方とを、例えば、超音波溶着により接合しても良い。なお、図１２において、Ａ、Ｂは、接合箇所を示している。
【００１４】
また、図１３乃至図１７に示すマスク１において、１０は長手形状の弾性部材で、弾性部材１０は接続部分Ｃに設けられ、上側部分ａの下縁部ａ２及び下側部分ｂの上縁部ｂ１に略平行（より望ましくは、平行）で、弾性部材１０はマスク１に内在され、周囲を超音波溶着により接合して位置決めされている。
そして、図１４に示すように、マスク１の上側部分ａと下側部分ｂとを重ねたシ−ト状から、図１３に示すように、マスク１の上側部分ａの上縁部ａ１と下側部分ｂの下縁部ｂ２を大きく離間させた場合、弾性部材１０が外方に向かって凸となって折り返し部（折り目）Ｃ０を有する接続部分Ｃを広げる方向に作用させて、接続部分ｃと唇との間隔を保持して、唇が接続部分Ｃに接触することを防止することができる。
なお、図１３乃至図１７に示すマスク１においては、弾性部材１０を除けば、図１乃至図７に示すマスク１と同様であるので、同一部分に同一符号を付してその説明を省略する。
【００１５】
また、図１８乃至図２１に示すマスク１においては、上側部分ａの左縁部ａ３の上縁部ａ１に接続される部分（図２１のＡ’参照）と、上側部分ａの右縁部ａ４の上縁部ａ１に接続される部分（図２１のＢ’参照）とが上縁部ａ１に向かって先細りとなるように傾斜（図示のＡ’、Ｂ’部分）されていること、下側部分ｂの左縁部ｂ３の下縁部ｂ２に接続される部分（図２１のＣ’参照）と、下側部分ｂの右縁部ｂ４の下縁部ｂ２に接続される部分（図２１のＤ’参照）とが下縁部ｂ２に向かって先細りとなるように傾斜（図示のＣ’、Ｄ’部分）され、対向する図示のＡ’とＣ’、対向する図示のＢ’とＤ’は、それぞれ接合されていないことを除けば、図８乃至図１０に示すマスク１と同様であるので、同一部分に同一符号を付してその説明を省略する。
【００１６】
特に、上側部分ａの左縁部ａ３の上縁部ａ１に接続される部分（図２１のＡ’参照）と、上側部分ａの右縁部ａ４の上縁部ａ１に接続される部分（図２１のＢ’参照）とが上縁部ａ１に向かって先細りとなるように傾斜されていること、下側部分ｂの左縁部ｂ３の下縁部ｂ２に接続される部分（図２１のＣ’参照）と、下側部分ｂの右縁部ｂ４の下縁部ｂ２に接続される部分（図２１のＤ’参照）とが下縁部ｂ２に向かって先細りとなるように傾斜され、対向する図示のＡ’とＣ’、対向する図示のＢ’とＤ’は、それぞれ接合されていないことにより、マスク１を装着した場合、上縁部ａ１及び下縁部ｂ２の部分の顔面への接触面積が増え、より顔面に密着でき、装着した際、第１の紐20、第２の紐30の取り付け部がフラットになるので、密着性が向上し、また、第１の紐20、第２の紐30の取り付け部の不織布の積層の数が減少するので、強つかず、密着性が向上し、また、第１の紐20と第２の紐30との間に補強部材40を介在させているため、第１の紐20と第２の紐30とが付着するのを防ぐと共に、第１の紐20、第２の紐30の紐の識別（例えば、上側部分ａを上に、下側部分ｂを下）が容易であり、更に、第２の紐30は補強部材40と下縁部ｂ２との間に位置し、サンドイッチ状に挟持されて溶着されているため、第２の紐30の溶着強度を向上させることができる。
【００１７】
なお、図１８乃至図２１に示すマスク１において、上側部分ａの左縁部ａ３の上縁部ａ１に接続される部分（図２１のＡ’参照）と、上側部分ａの右縁部ａ４の上縁部ａ１に接続される部分（図２１のＢ’参照）とが上縁部ａ１に向かって先細りとなるように傾斜（図示のＡ’、Ｂ’部分）され、下側部分ｂの左縁部ｂ３の下縁部ｂ２に接続される部分（図２１のＣ’参照）と、下側部分ｂの右縁部ｂ４の下縁部ｂ２に接続される部分（図２１のＤ’参照）とが下縁部ｂ２に向かって先細りとなるように傾斜（図示のＣ’、Ｄ’部分）されているが、図２２に示すように、上側部分ａの左縁部ａ３の上縁部ａ１に接続される部分（図２２のＡ’参照）と、上側部分ａの右縁部ａ４の上縁部ａ１に接続される部分（図２２のＢ’参照）とが上縁部ａ１に向かって略直交するようにしても良いし、下側部分の左縁部ｂ３の下縁部ｂ２に接続される部分（図２２のＣ’参照）と、下側部分の右縁部ｂ４の下縁部ｂ２に接続される部分（図２２のＤ’参照）とが下縁部ｂ２に向かって略直交するようにしても良い。この場合、図１８乃至図２１に示すマスク１と同様に、対向する図示のＡ’とＣ’、対向する図示のＢ’とＤ’は、それぞれ接合しないようにする。
【００１８】
また、図１８乃至図２１に示すマスク１において、第２の紐30は補強部材40と下縁部ｂ２との間に位置し、サンドイッチ状に挟持されて溶着され（特に、図２０参照）、第１の紐20には補強部材40が設けられていないが、図２３に示すように、第１の紐20を補強部材40’と上縁部ａ１との間に位置させて、サンドイッチ状に挟持するように溶着して、第１の紐20の溶着強度を向上させるようにしても良い。
【００１９】
【発明の効果】
請求項１記載のマスクによれば、使用時、折り返し部（折り目）を有する接続部分を広げることができるため、吸排気面積の拡大を図ることができ、息苦しくなく、しかも、上側部分の左縁部と下側部分の左縁部、上側部分の右縁部と下側部分の右縁部の接合部分を上側部分の上縁部及び下側部分の下縁部より、それ程突出しなくて良く、突出しない分、マスクを装着した場合の視野の確保を図ることができ使用勝手を向上させることができる。
【図面の簡単な説明】
【図１】図１は、本発明の一実施例のマスクの装着状態の概略的斜視図である。
【図２】図２は、図１のマスクの非使用状態の概略的正面図である。
【図３】図３は、図２のＸ−Ｘ線による概略的断面図である。
【図４】図４は、図３の一部を拡大して示す概略的一部拡大図である。
【図５】図５は、図２のＸ1 −Ｘ1 線による概略的断面図である。
【図６】図６は、図２のＸ2 −Ｘ2 線による概略的断面図である。
【図７】図７は、図２のマスクを展開して示す概略的展開図である。
【図８】図８乃至図１０は、図１のマスクと異なる他の実施例を示すマスクで、図８は、マスクの非使用状態の概略的正面図である。
【図９】図９は、図８のＺ−Ｚ線による概略的断面図である。
【図１０】図１０は、図８のマスクを展開して示す概略的展開図である。
【図１１】図１１は、図８のマスクと異なる他の実施例を示すマスクで、図１１は、マスクの非使用状態の概略的正面図である。
【図１２】図１２は、図１１のマスクと異なる他の実施例を示すマスクで、図１２は、マスクの非使用状態の概略的正面図である。
【図１３】図１３乃至図１７は、図１２のマスクと異なる他の実施例を示すマスクで、図１３は、マスクの装着状態の概略的斜視図である。
【図１４】図１４は、図１３のマスクの非使用状態の概略的正面図である。
【図１５】図１５は、図１４のＸ’−Ｘ’線による概略的断面図である。
【図１６】図１６は、図１５の一部を拡大した概略的一部拡大図である。
【図１７】図１７は、図１４のマスクを展開して示す概略的展開図である。
【図１８】図１８は、図１３のマスクと異なる他の実施例のマスクの装着状態の概略的斜視図である。
【図１９】図１９は、図１８のマスクの非使用状態の概略的正面図である。
【図２０】図２０は、図１９のＺ’−Ｚ’線による概略的断面図である。
【図２１】図２１は、図１８のマスクを展開して示す概略的展開図である。
【図２２】図２２は、図１９の他の実施例の概略的正面図である。
【図２３】図２３は、図２０の他の実施例の概略的断面図である。
【符号の説明】
１        マスク
ａ        上側部分
ｂ        下側部分
Ｃ        接続部分
Ｃ０      折り返し部
【図１】
0003743751.tif 000002
【図２】
0003743751.tif 000003
【図３】
0003743751.tif 000004
【図４】
0003743751.tif 000005
【図５】
0003743751.tif 000006
【図６】
0003743751.tif 000007
【図７】
0003743751.tif 000008
【図８】
0003743751.tif 000009
【図９】
0003743751.tif 000010
【図１０】
0003743751.tif 000011
【図１１】
0003743751.tif 000012
【図１２】
0003743751.tif 000013
【図１３】
0003743751.tif 000014
【図１４】
0003743751.tif 000015
【図１５】
0003743751.tif 000016
【図１６】
0003743751.tif 000017
【図１７】
0003743751.tif 000018
【図１８】
0003743751.tif 000019
【図１９】
0003743751.tif 000020
【図２０】
0003743751.tif 000021
【図２１】
0003743751.tif 000022
【図２２】
0003743751.tif 000023
【図２３】
0003743751.tif 000024